(57)【要約】【目的】地域や系列に限定されずに医療機関に保存されている医療情報を地域や系列、診療科目などに限定されることなしに他の医療機関において利用可能であることはいうまでもなく患者個人にとってもきわめて便利なものとする。【解決手段】サーバコンピュータ３１を有する管理センター３と、管理センター３に配置されたサーバコンピュータ３１とが通信回線を介して接続可能であるとともに患者の医療情報を入出力ならびに記憶が可能な端末装置１１を有する複数の契約医療機関１とからなり、各契約医療機関１が自己の患者について、管理センター３に備えたサーバコンピュータ３１または他の契約医療機関１に配置された端末装置１１に記憶されている医療情報を、サーバコンピュータ３１からまたはサーバコンピュータ３１を介して他の契約医療機関１に配置された端末装置１１から引き出し可能とした。【選択図】        図１
2004234441.tif 000002
【特許請求の範囲】
【請求項１】
サーバコンピュータを有する管理センターと、前記管理センターに配置されたサーバコンピュータと通信回線を介して接続可能であるとともに患者の医療情報を入出力ならびに記憶が可能な端末装置を有する複数の契約医療機関とからなり、前記各契約医療機関が自己の患者について、前記管理センターに備えたサーバコンピュータまたは他の契約医療機関に配置された端末装置に記憶されている医療情報を、前記サーバコンピュータからまたは前記サーバコンピュータを介して前記他の契約医療機関に配置された端末装置から引き出し可能としたことを特徴とする医療情報システム。
【請求項２】
前記各契約医療機関において受診している患者が同一の個人識別コードを有する請求項１記載の医療情報システム。
【請求項３】
前記各契約医療機関において引き出し可能な患者の医療情報を、患者自身が選択可能な請求項１または２記載の医療情報システム。
【請求項４】
前記各契約医療機関を受診している患者が前記管理センターのサーバコンピュータに通信回線を介して接続することにより、前記管理センターに備えたサーバコンピュータまたは各契約医療機関の端末装置からそのサーバコンピュータまたは各端末装置に記憶されている自己の医療情報を引き出し可能な請求項１，２または３記載の医療情報システム。
【発明の詳細な説明】
【０００１】
【発明の属する技術分野】
本発明は、病院や診療所、更には薬局などの医療機関において作成される患者ごとの病歴、薬歴、検査データなどの医療情報を、多数の医療機関であるいは患者自身で利用することが可能な医療情報システムに関するものである。
【０００２】
【従来の技術】
従来、医療機関で受診する患者は、初診時において識別番号や氏名、生年月日などの個人情報を記憶させた診察カードを作成し、この診察カードを用いて患者は診察や検査などを受けており、診察内容や検査結果などの病歴や処方に基づく薬歴などの医療情報が各医療機関においてホストコンピュータなどに記憶されていた。
【０００３】
これらの医療情報は、患者の個人情報を含めて既往症や、使用中の薬、検査結果など、その後の患者の診察や治療に不可欠のものとなっている。
【０００４】
ところが、これらの医療情報は、個々の医療機関において記録、保管されており、患者の個々の医療機関に対する要求に応じて、あるいは個々に提携している医療機関の間において互いに提供されるだけである。
【０００５】
従って、患者は、異なる医療機関を受診する毎に、問診票などを用いて病歴や薬歴などを申告しなければならず、きわめて煩わしいばかりか、患者は医療の専門家ではなく、正確な履歴を伝えることができず、特に高齢者にあってはきわめて困難であり、異なる医療機関を受診する毎に各種の検査を再度行うなどの不都合が生じることになる。
【０００６】
そこで、各病院に記憶されている医療情報を他の医療機関で利用可能として不便さを解消しようとするシステムが構築されている。
【０００７】
【発明が解決しようとする課題】
しかしながら、従来の医療情報システムは、特定地域や同一系列のような一定の関係を有する医療機関相互間に限られ、たとえば他の地域に転居したり、系列以外の医療機関を受診する場合には利用することができない、という問題がある。
【０００８】
また、従来の医療情報システムは各医療機関の間で個々に情報交換を行なうものであり、例えば各医療機関によって患者データの公開に関する院内規定、アクセス権およびシステムの違いなどにより、更には１つの医療機関に複数の医療機関から患者データの配信依頼が行なわれることに対応するセキュリティに高額の設備投資が必要であるなど、各医療機関での運用が容易でなく、また患者は各医療機関ごとに発行された複数の受診カードを管理しなければならず煩雑さを解消できない。
【０００９】
本発明は、上記の問題を解決するためになされたものであり、地域や系列に限定されずに医療機関に保存されている医療情報を地域や系列、診療科目などに限定されることなしに他の医療機関において利用可能であることはいうまでもなく患者個人にとってもきわめて便利な医療情報システムを提供するものである。
【００１０】
【課題を解決するための手段】
そこで、本発明はサーバコンピュータを有する管理センターと、前記管理センターに配置されたサーバコンピュータと通信回線を介して接続可能であるとともに患者の医療情報を入出力ならびに記憶が可能な端末装置を有する複数の契約医療機関とからなり、前記サーバコンピュータが、前記各端末装置から入力された患者の医療情報を記憶し、またその医療情報を前記各端末装置から引き出し可能とするとともに、前記各契約医療機関が自己の患者について、前記管理センターに備えたサーバコンピュータまたは他の契約医療機関に配置された端末装置に記憶されている医療情報を、前記サーバコンピュータからまたは前記サーバコンピュータを介して前記他の契約医療機関に配置された端末装置から引き出し可能とした。
【００１１】
他の契約医療機関の医療情報を個々の医療機関同士で交換するのではなく、情報管理センターを介して提供することにより、容易且つ確実に医療情報を利用することが可能であるとともに、地域や医療機関の系列、診療科目に限定されずに医療情報の提供が可能である。また、各医療機関に設置された端末装置を介して必要な医療情報を引き出すことができるので情報の伝達が迅速で各契約医療機関に記録保存されている画像データを含めた各種の医療情報を送信することもできる。
【００１２】
また、前記各契約医療機関における患者が同一の個人識別コードを用いることにより、情報を一元化できるので、各契約医療機関での管理が簡単にできるばかりか、患者も一つの識別コードにより、つまり、一つの受診カードなどを用いて全ての契約医療機関で受診することができ、きわめて便利である。
【００１３】
更に、前記各契約医療機関において他の契約医療機関において引き出し可能な患者の医療情報を、患者自身が選択可能とすることにより、患者自身の秘密情報の他動的な公開を阻止することができる。
【００１４】
更にまた、前記各契約医療機関を受診している患者が前記管理センターのサーバコンピュータに通信回線を介して接続することにより、各契約医療機関の端末装置から前記管理センターのサーバコンピュータあるいは他の契約医療機関の端末装置に記録されている自己の医療情報を引き出し可能とすることにより、患者自身にとってもきわめて有意義である。
【００１５】
【発明の実施の形態】
次に本発明の実施の形態を図面に基づいて説明する。
【００１６】
図１は、本発明における実施の形態の一例であり、全国的に配置される複数の契約医療機関１および薬局２に、インターネットなどの通信回線に接続可能な通信装置を有するコンピュータからなる端末装置１１，２１が配置されている。また、前記契約医療機関１および薬局２を統括する管理センター３にはインターネットなどの通信回線に接続可能なサーバコンピュータ３１が配置されており、前記契約医療機関１および薬局２に配置された端末装置１１，２１と個々に接続可能となっている。
【００１７】
そして、前記サーバコンピュータ３１は前記各端末装置１１，２１から入力された患者の住所、氏名、生年月日などの基礎データおよび病歴、薬歴などの各種個人医療情報を記憶し、またその記憶を前記いずれの端末装置１１，２１からも引き出し可能としている。
【００１８】
また、前記契約医療機関１および薬局２に配置された端末装置１１，２１はそれ自身が患者の住所、氏名、生年月日などの基礎データおよび病歴、薬歴などの各種個人医療情報を入出力ならびに記憶可能なものであってもよいが、これらの機能を別の例えばホストコンピュータに持たせて単に管理センター３に配置したサーバコンピュータ３１に接続するための端末装置であってもよい。
【００１９】
次に、本実施の形態に示す医療情報システムの利用方法について説明する。
【００２０】
まず、患者が全国いずれかの契約医療機関１において初めて診察を受けた場合は、通常の医療機関で初めて診察を受ける場合と同様に、住所、氏名、生年月日などの基礎データと、病歴、薬歴などの個人医療情報を問診などの手段により申告し、これらの情報を各契約医療機関１に記録保存するとともに端末装置１１を用いて通信回線を介して管理センター３に配置したサーバコンピュータ３１に保存しておく。
【００２１】
各契約医療機関１は初診時に患者に対して一つの識別コードを付与するとともにその識別コードを記憶させた受診カード４を発行する。この受診カード４はいずれの契約医療機関１でもそのまま使用することができ、各契約医療機関１では同一の識別コードで医療情報を管理することとなる。そのため、患者は従来のように各契約医療機関ごとに発行される異なる受診カードを受け取る必要が無く、きわめて便利であり、契約医療機関にとっても一つの様式で医療情報を管理できるのできわめて便利である。
【００２２】
また、患者が異なる契約医療機関１において診察を受ける場合には、前記識別コードが記録されている診察カード４を持参すればよい。即ち、診察カード４の提示を受けた契約医療機関１は、例えば端末装置１１に接続されているカードリーダ５を用いて診察カード４の情報を取り出し、これをインターネットなどの通信回線を介して管理センター３に配置されたサーバコンピュータ３１に接続し、サーバコンピュータ３１に記憶されている単数あるいは複数の契約医療機関１の医療情報のうち、前記患者に関するものを引き出すことができる。
【００２３】
従って、２回目以降の契約医療機関１での診察については、患者は再度の問診などの手続を必要とせずに診察カード４を提出するだけで氏名などの基礎データのみならず、過去の他の契約医療機関１や薬局２における医療情報をそのまま電子的に記録可能な状態で提供し、また入手することができる。
【００２４】
このように本実施の形態では、他の契約医療機関１の医療情報を個々の契約医療機関１同士で交換するのではなく、管理センター３を介して提供することにより、安易且つ確実に医療情報を利用することが可能である。
【００２５】
特に、患者は契約医療機関１であれば、地域や診療科目などを問わずにサービスを受けることができる。また、患者自身も例えば携帯電話などの移動体通信機器６などによりインターネットなどの通信回線を利用して管理センター３のサーバコンピュータ３１に接続して自己の医療情報を確認または取得することもできる。
【００２６】
尚、本システムにおいて利用可能な医療情報の具体的内容については、個人の基礎データのほか、病歴、薬歴、検査結果などを含むが、これらの情報を全て利用の対象としてもよいが、必要であれば、各患者にとって公開したくない情報については除くこともできる。
【００２７】
【発明の効果】
以上のように本発明によると、地域や契約医療機関の系列、診療科目に限定されずに医療情報の提供が可能であるばかりか、各契約医療機関に設置された端末装置を介して必要な医療情報を引き出すことができるので情報の伝達が迅速で各契約医療機関に記録保存されている画像データを含めた各種の医療情報を送信することができる。
【００２８】
また、前記各契約医療機関における患者が同一の個人識別コードを用いることにより、情報を一元化できるので、各医療機関での管理が簡単にできるばかりか、患者も一つの識別コードにより、つまり、一つの受診カードなどを用いて全ての契約医療機関で受診することができ、きわめて便利である。
【００２９】
更に、前記各契約医療機関において他の契約医療機関において引き出し可能な患者の医療情報を、患者自身が選択可能とすることにより、患者自身の秘密情報の他動的な公開を阻止することができる。
【００３０】
更にまた、前記各契約医療機関を受診している患者が前記管理センターのサーバコンピュータに通信回線を介して接続することにより、各契約医療機関の端末装置からその契約医療機関に記録されている自己の医療情報を引き出し可能とすることにより、患者自身にとってもきわめて有意義である。
【図面の簡単な説明】
【図１】本発明の実施の形態を示す概略図である。
【符号の説明】
１  契約医療機関、３  管理センター、１１  端末装置、３１  サーバコンピュータ
【図１】
2004234441.tif 000003